(57)【特許請求の範囲】
【請求項１】
合成樹脂を多く含有してなる記録層内に三次元的に情報を記録する三次元光記録媒体用の基体であって、
該記録層を形成する記録層用空間の両面を区画形成する一対の透明基板と、
該一対の透明基板の相互間に介装され、該一対の透明基板を所定の距離をもって結合するとともに該記録層用空間の縁部を区画形成するスペーサとから構成され、
該スペーサが、光硬化性又は熱硬化性フィルムからなり、該フィルムを該一対の透明基板間に介装し、光硬化又は熱硬化させることにより、該一対の透明基板と該フィルムによる該スペーサとが一体化されてなる
ことを特徴とする、三次元光記録媒体用基体。
【請求項２】
合成樹脂を多く含有してなる記録層内に三次元的に情報を記録する三次元光記録媒体用の基体であって、
該記録層を形成する記録層用空間の両面を区画形成する一対の透明基板と、
該一対の透明基板の相互間に介装され、該一対の透明基板を所定の距離をもって結合するとともに該記録層用空間の縁部を区画形成するスペーサとから構成され、
該スペーサの縁部外周に、該一対の透明基板の縁部外周よりも窪んだ窪み部が形成されている
ことを特徴とする、三次元光記録媒体用基体。
【請求項３】
該スペーサの縁部外面全体を、該一対の透明基板の縁部外面よりも該記録層を形成する空間内に変位した位置に設定することにより、該窪み部が形成されている
ことを特徴とする、請求項２記載の三次元光記録媒体用基体。
【請求項４】
該窪み部が、該スペーサの縁部の外面を面取りされ形成された面取り部によって構成されている
ことを特徴とする、請求項２記載の三次元光記録媒体用基体。
【請求項５】
請求項１記載の三次元光記録媒体用基体であって、該スペーサに該記録用空間を外部に開にする開口部が設けられた三次元光記録媒体用基体を用いて三次元光記録媒体を製造する方法であって、
該一対の透明基板と該スペーサとを結合して、該三次元光記録媒体用基体を組み立てる基体組立工程と、
該開口部から該記録層空間内に、該記録層を形成する光硬化性又は熱硬化性の液状の樹脂を注入する樹脂注入工程と、
該記録媒体用空間内に注入された液状の樹脂を光硬化又は熱硬化させる樹脂硬化工程とをそなえた
ことを特徴とする、三次元光記録媒体の製造方法。
【請求項６】
合成樹脂を多く含有してなる記録層内に三次元的に情報を記録する三次元光記録媒体用の基体であって、該記録層を形成する記録層用空間の両面を区画形成する一対の透明基板と、該一対の透明基板の相互間に介装され、該一対の透明基板を所定の距離をもって結合するとともに該記録層用空間の縁部を区画形成するスペーサとから構成された三次元光記録媒体用基体を用いて三次元光記録媒体を製造する方法であって、
該一対の透明基板のうち、該スペーサの一部又は全部を装着された一方の透明基板上の該記録層用空間に、記録層を形成する光硬化性又は熱硬化性の液状の樹脂を充填する第一の工程と、
液状の樹脂を充填した該一方の透明基板に他方の基板を重ね合わせる第二の工程と、
該スペーサ間に充填された液状の樹脂を光硬化又は熱硬化させる第三の工程とをそなえるとともに、
該第二の工程に先立ち該三次元光記録媒体用基体の周囲を真空雰囲気とする工程をそなえた
ことを特徴とする、三次元光記録媒体の製造方法。
【請求項７】
該スペーサが光硬化性又は熱硬化性フィルムからなり、
該第三の工程において該液状の樹脂とともに該スペーサをも硬化させ、該透明基板と該スペーサとを貼り合わせる
ことを特徴とする、請求項６記載の三次元光記録媒体の製造方法。
【発明の詳細な説明】
【０００１】
【発明の属する技術分野】
本発明は、多層光メモリ，ホログラムメモリ等の大容量，高密度の光記録媒体の製造に用いて好適の、三次元光記録媒体用基板及び三次元光記録媒体の製造方法に関する。
【０００２】
【従来の技術】
従来、ＣＤ−Ｒ等のディスク状の光記録媒体の製造方法として、スピンコート法が知られている。この方法は、ディスク状基板のプリピット及びプリグルーブが形成されている情報面に、記録材料である有機色素を適当な有機溶媒に溶解して成る塗布液を滴下した後、基板を回転させ、遠心力によって余剰の塗布液を情報面から除去し、記録層を形成するものである。
【０００３】
【発明が解決しようとする課題】
ところで、近年、来るべきマルチメディア情報化時代への対応として、光記録媒体のさらなる大容量化，高密度化に向けた研究開発が行なわれている。例えば、図２０に示すように、透明基板１０３上に積層した記録層１０１を集光レーザビーム１０２の焦点深度以上に厚くし、焦点位置をずらすことにより媒体内の深さ方向に三次元的な記録を行なう多層記録方式の光記録媒体（多層光メモリ）１００や、図２１に示すように、一対の透明基板１０９，１１０間で挟持された記録層１０８に、物体からの反射光や信号等の情報を表す信号ビーム１０６と、記録層１０８中で信号ビーム１０６と干渉を起こすための参照ビーム１０７とを照射し、参照ビーム１０７の入射角を少しずつ変えていくことにより、記録層１０８内の同一箇所に複数個のホログラムを多重記録するホログラム方式の光記録媒体（ホログラムメモリ）１０５のように、記録層の平面内のみならず厚み方向にも三次元的に記録することにより記録容量を向上させた三次元光記録媒体が開発されている。
【０００４】
これらの多層光メモリ１００，ホログラムメモリ１０５はいずれも、記録層に合成樹脂を多く含み（９０重量％以上）、樹脂の熱または光による構造変化と、これに伴う光学的性質の変化を利用した光記録媒体であり、記録層の厚みが数十〜数百μｍと従来の光記録媒体に比べて非常に厚いのが特徴である。また、これらの光記録媒体では、記録層の厚み方向にも三次元的に記録する必要から、従来の平面的に記録する光記録媒体に比較して記録層の厚みの均一性はより厳しく要求される。即ち、三次元光記録媒体は、二次元のものに比べて記録層をより厚く、しかも厚みをより均一性のあるものにしなくてはならない。
【０００５】
合成樹脂を多く含む材料により均一厚みの層を形成する方法としては、上述したスピンコート法を用いるのが一般的であるが、ＣＤ−Ｒ等のように１０μｍ未満の比較的薄い層であれば均一に形成できるものの、遠心力の作用により塗布液が広がってしまうため、より厚い、特に１００μｍ以上の層を形成するのは困難である。また、層を厚く形成させるために基板を低速で回転させると、ディスクのエッジ部の膜厚が特に厚くなってしまい、厚みの均一性を確保できなくなってしまう。さらに、塗布液の粘度を高くする方法も考えられるが、粘度コントロールのために塗布液の組成を変えることは、媒体の記録特性への影響を考えると難しい場合が多い。
【０００６】
本発明は上述の課題に鑑み創案されたもので、合成樹脂を多く含み比較的厚みのある記録層を有する三次元光記録媒体を容易に製造できるようにした、三次元光記録媒体用基体及び三次元光記録媒体の製造方法を提供することを目的とする。
【０００７】
【課題を解決するための手段】
上記目的を達成するために、本発明の三次元光記録媒体用基体は、合成樹脂を多く含有してなる記録層内に三次元的に情報を記録する三次元光記録媒体用の基体であって、該記録層を形成する記録層用空間の両面を区画形成する一対の透明基板と、該一対の透明基板の相互間に介装され、該一対の透明基板を所定の距離をもって結合するとともに該記録層用空間の縁部を区画形成するスペーサとから構成され、さらに、該スペーサが、光硬化性又は熱硬化性フィルムからなり、該フィルムを該一対の透明基板間に介装し、光硬化又は熱硬化させることにより、該一対の透明基板と該フィルムによる該スペーサとが一体化されていることを特徴としている（請求項１）。
【０００８】
ここで、該スペーサに該記録層用空間を外部に開にする開口部が設けられていることが好ましく、該一対の透明基板はディスク状であって、該記録層用空間は円環状に形成され、該スペーサは円環状の該記録層用空間の外周縁部と内周縁部とにそれぞれ設けられていることがより好ましい。
【０００９】
また、該スペーサが、該一対の透明基板のうちの少なくとも一方に予め一体に形成されていることが好ましい。
また、別の本発明の三次元光記録媒体用基体は、合成樹脂を多く含有してなる記録層内に三次元的に情報を記録する三次元光記録媒体用の基体であって、該記録層を形成する記録層用空間の両面を区画形成する一対の透明基板と、該一対の透明基板の相互間に介装され、該一対の透明基板を所定の距離をもって結合するとともに該記録層用空間の縁部を区画形成するスペーサとから構成され、該スペーサの縁部外周に、該一対の透明基板の縁部外周よりも窪んだ窪み部が形成されていることを特徴とする（請求項２）。
ここで、該スペーサの縁部外面全体を、該一対の透明基板の縁部外面よりも該記録層を形成する空間内に変位した位置に設定することにより、該窪み部が形成されていることがより好ましい（請求項３）。若しくは、該窪み部が、該スペーサの縁部の外面を面取りされ形成された面取り部によって構成されていることがより好ましい（請求項４）。
【００１０】
また、本発明の三次元光記録媒体の製造方法は、上記の三次元光記録媒体用基体（請求項１）であって、該スペーサに該記録用空間を外部に開にする開口部が設けられた三次元光記録媒体用基体を用いて三次元光記録媒体を製造する方法であって、該一対の透明基板と該スペーサとを結合して、該三次元光記録媒体用基体を組み立てる基体組立工程と、該開口部から該記録層空間内に、該記録層を形成する光硬化性又は熱硬化性の液状の樹脂を注入する樹脂注入工程と、該記録媒体用空間内に注入された液状の樹脂を光硬化又は熱硬化させる樹脂硬化工程とをそなえたことを特徴としている（請求項５）。
【００１１】
さらに、別の本発明の三次元光記録媒体の製造方法は、合成樹脂を多く含有してなる記録層内に三次元的に情報を記録する三次元光記録媒体用の基体であって、該記録層を形成する記録層用空間の両面を区画形成する一対の透明基板と、該一対の透明基板の相互間に介装され、該一対の透明基板を所定の距離をもって結合するとともに該記録層用空間の縁部を区画形成するスペーサとから構成された三次元光記録媒体用基体を用いて三次元光記録媒体を製造する方法であって、該一対の透明基板のうち、該スペーサの一部又は全部を装着された一方の透明基板上の該記録層用空間に、記録層を形成する光硬化性又は熱硬化性の液状の樹脂を充填する第一の工程と、液状の樹脂を充填した該一方の透明基板に他方の基板を重ね合わせる第二の工程と、該スペーサ間に充填された液状の樹脂を光硬化又は熱硬化させる第三の工程とをそなえるとともに、該第二の工程に先立ち該三次元光記録媒体用基体の周囲を真空雰囲気とする工程をそなえたことを特徴としている（請求項６）。
ここで、該スペーサが光硬化性又は熱硬化性フィルムからなり、該第三の工程において該液状の樹脂とともに該スペーサをも硬化させ、該透明基板と該スペーサとを貼り合わせることが好ましい。
【００１３】
【発明の実施の形態】
以下、図面を参照して本発明の実施の形態を説明する。
まず、本発明の第１実施形態としての三次元光記録媒体用基体について説明する。なお、本実施形態にかかる三次元光記録媒体はディスク状のものであり、記録層は円環状（ドーナツ状）に形成されるものである。
【００１４】
本三次元光記録媒体用基体１は、多層光メモリ，ホログラムメモリ等の大容量，高密度の三次元光記録媒体の製造に用いて好適の三次元光記録媒体用基体であり、図１に示すように、一対の透明基板２，３と、大小一組の円環状のスペーサ４，５とから構成されている。
透明基板２，３は、円盤状に形成されており、その中央には外周円と同心の円形の穴を有している。透明基板２，３の材質としては、ガラスや透明樹脂（例えばポリカーボネイト樹脂，アクリル樹脂，メタクリル樹脂，ポリスチレン樹脂，塩化ビニル樹脂，エポキシ樹脂，ポリエステル樹脂，アモルファスポリオレフィン等）を用いることができる。
【００１５】
スペーサ４，５は、透明基板２，３間の距離を所定の大きさに均一に保つための部材であり、多層光メモリ，ホログラムメモリ等の本三次元光記録媒体用基体１の用途に応じた厚さ（好ましくは、３０μｍ以上５００μｍ以下の厚さ）に形成されている。スペーサ４は透明基板２，３の外周部２ａ，３ａの相互間に介装されるもので、スペーサ４の外径は透明基板２，３の外径と略同径に設定されている。スペーサ５は透明基板２，３の内周部２ｂ，３ｂの相互間に介装されるもので、スペーサ５の内径は透明基板２，３の内径と略同径に設定されている。また、スペーサ４には、一部に切れ目４ａが設けられており、この切れ目４ａにおいてスペーサ４の開口部が形成されている。
【００１６】
スペーサ４，５の材質としては、光硬化性又は熱硬化性の樹脂、例えばアクリル系樹脂，エポキシ系樹脂，イソシアネート系樹脂等を用いることができるが、好ましくは、記録層を形成する樹脂の屈折率に近いものを選択するようにする。なお、本発明の第１実施形態にかかるスペーサとしては、図１に示すように予め独立して形成しておいたスペーサ４，５を使用することが好ましいが、未硬化の樹脂組成物を一方の基板上に塗布し、他方の基板を貼り合わせたのち硬化することによって、スペーサとしてもかまわない。
【００１７】
予め独立してスペーサを形成しておく場合、例えば、光硬化性又は熱硬化性の樹脂を、ダイキャスト法，ディップコート法，ロールコート法等の公知方法を用いて用途に応じた所定の厚さのフィルムにし、光又は熱にて部分硬化させた後、適宜の形状に打ち抜くことにより、円環状の樹脂フィルムとしてスペーサ４，５を得ることができる。若しくは、スペーサ４，５の形状に応じた型枠に光硬化性又は熱硬化性の樹脂を注入し、光又は熱にて部分硬化させた後、型枠から取り出すことによっても、円環状の樹脂フィルムとしてスペーサ４，５を得ることができる。
【００１８】
そして、本三次元光記録媒体用基体１は、透明基板２，３の外周部２ａ，３ａ間及び内周部２ｂ，３ｂ間に、それぞれスペーサ４，５を挟装することにより一体に形成されるものであり、一方の透明基板２の外周部３ａ又は２ａ上，内周部３ｂ又は２ｂ上にそれぞれスペーサ４，５を積層した後、さらに、他方の透明基板３を積層し、光硬化性又は熱硬化性の樹脂フィルムであるスペーサ４，５に光又は熱を当てて更に硬化させることにより形成される。
【００１９】
本発明の第１実施形態としての三次元光記録媒体用基体１は上述のように構成されているので、三次元光記録媒体の製造にあたっては、まず、上述のようにして透明基板２，３及びスペーサ４，５を結合して、三次元光記録媒体用基体１を形成する（基体組立工程）。この結果、三次元光記録媒体用基体１の内部には、図２（ａ），図２（ｂ）に示すように、透明基板２，３とスペーサ４，５とにより囲まれる内部空間（記録層用空間）６が形成される。この内部空間６は、記録層を形成する樹脂を充填するための空間であり、外側のスペーサ４に形成された切れ目（開口部）４ａによって外部と連通している。
【００２０】
したがって、本三次元光記録媒体用基体１を用いて光記録媒体を製造する場合には、例えば次のような方法を用いることが可能になる。図３を参照しながら本三次元光記録媒体の製造方法について説明すると、まず、図３（ａ）に示すように、予め基体組立工程で組み立てられた三次元光記録媒体用基体１の周囲を真空雰囲気にする。そして、図３（ｂ）に示すように、真空雰囲気下でスペーサ４に形成された切れ目４ａを記録層を形成する液状の樹脂８が満たされた容器７内に浸ける。
【００２１】
記録層を形成する樹脂８としては、光硬化性又は熱硬化性の樹脂、例えば、アクリル系やメタクリル系のようにエチレン性不飽和二重結合含有化合物のラジカル反応で重合するものや、エポキシ系のように光でカチオン反応するもの等の光硬化可能なモノマーと、必要に応じ光硬化又は熱硬化可能なバインダー樹脂を含む材料、ポリ（ｐ−ヒドロキシスチレン）とヘキサメトシキメチルメラミンの組み合わせのようなものが考えられるが、具体的には、記録方式に応じて適宜選択する。
【００２２】
次に、図３（ｃ）に示すように、真空雰囲気を解除して三次元光記録媒体用基体１の周囲雰囲気を大気圧に戻す。これにより、容器７内の液状樹脂８は、大気圧により押されて切れ目４ａから真空状態になっている内部空間６内に充填されていく（以上、樹脂注入工程）。
そして、三次元光記録媒体用基体１に光又は熱を加えることにより、切れ目４ａから内部空間６内に吸引された液状樹脂８を光硬化又は熱硬化させ、図３（ｄ）に示すように、記録層９を形成する（樹脂硬化工程）。以上の工程により、光記録媒体が製造される。
【００２３】
このように本三次元光記録媒体用基体１によれば、透明基板２，３間の隙間がスペーサ４，５により予め所定の間隔に設定されるとともに、記録層９が形成される空間がスペーサ４の切れ目４ａのみにより外部と連通する閉空間になっているので、閉空間（内部空間）６内を真空雰囲気にして記録層を形成する樹脂を引き込むだけで、均一な厚みの記録層９を容易に形成することができ、多層光メモリ，ホログラムメモリ等の厚みのある記録層９を有する三次元光記録媒体の製造が容易になるという利点がある。
【００２４】
また、スペーサ４，５として光硬化性又は熱硬化性フィルムを用いることにより、透明基板２，３との接合が容易になり、また、従来の透明基板をそのまま用いることができるという利点がある。
なお、上述の実施形態では、外周側のスペーサ４に切れ目４ａを設けて、この切れ目４ａを内部空間６内に記録層を形成する液状樹脂を充填するための通路にしているが、図４に示すように、内周側のスペーサ５に切れ目（開口部）５ａを設けて、この切れ目５ａを内部空間６内に記録層を形成する液状樹脂を充填するための通路としてもよい。
【００２５】
また、上述の実施形態では、光硬化性又は熱硬化性の樹脂フィルムによりスペーサ４，５を成形し、光硬化又は熱硬化を用いて透明基板２，３に接合しているが、図５に示すように、はりあわせ樹脂１０を用いてスペーサ４，５を透明基板２，３に接合するようにしてもよい。この場合、スペーサ４，５の材料は光硬化性又は熱硬化性の樹脂で無くても良く、例えば先に基板材料として挙げたものやポリアミド系樹脂等を使用することができる。ただし、この場合も、はりあわせ樹脂１０及びスペーサ４，５の屈折率は記録層を形成する樹脂の屈折率に近いほうが好ましい。
【００２６】
また、外周側のスペーサ４の外径は、はりあわせ樹脂１０のはみ出しによる外観の悪化を防止するため、透明基板２，３の外径よりもわずかに小径に設定して、透明基板２，３の外周の表面よりも窪んだ窪み部を形成することが好ましい。さらに、内周側のスペーサ５の内径についても、透明基板２，３の内径よりもわずかに大径に設定して、透明基板２，３の内周の表面よりも窪んだ窪み部を形成することが好ましい。
【００２７】
次に、本発明の第２実施形態としての三次元光記録媒体用基体について説明すると、本三次元光記録媒体用基体１１は、図６に示すように、一対の透明基板１２，１３から構成されている。
透明基板１２，１３は、円盤状に形成されており、その中央には外周円と同心の円形の穴を有している。また、一方の透明基板１２の外周部及び内周部には、それぞれ円環状の側壁１４，１５が一体に形成されている。これらの側壁１４，１５は、透明基板１２，１３を重ね合わせた時に、内部の隙間高さを均一に保つスペーサとして機能するものであり、多層光メモリ，ホログラムメモリ等の本三次元光記録媒体用基体１の用途に応じた高さ（好ましくは、３０μｍ以上５００μｍ以下の高さ）に形成されている。また、外周側の側壁１４には、一部に切り欠き１４ａが設けられており、この切り欠き１４ａにおいて開口部が形成されている。
【００２８】
本三次元光記録媒体用基体１１は、上記の透明基板１２，１３を一体化することにより得られるものであり、一方の透明基板１２の側壁１４，１５に、はりあわせ樹脂等の接着剤を塗布した後、他方の透明基板１３を重ね合わせて接合することにより、透明基板１２，１３を一体化している。
本発明の第２実施形態としての三次元光記録媒体用基体１１は上述のように構成されているので、三次元光記録媒体の製造にあたっては、まず、上述のようにして透明基板１２，１３を結合して、三次元光記録媒体用基体１を形成する（基体組立工程）。この結果、三次元光記録媒体用基体１１の内部には、図７（ａ），図７（ｂ）に示すように、側壁１４，１５がスペーサとなって透明基板１２，１３により囲まれる内部空間（記録層用空間）１８が形成される。この内部空間１８は、記録層を形成する樹脂を充填するための空間であり、外周側側壁１４に設けられた切り欠き１４ａにより外部と連通している。
【００２９】
したがって、本三次元光記録媒体用基体１１を用いた場合にも、第１実施形態と同様な方法により光記録媒体を製造することが可能になる。つまり、まず、予め基体組立工程で組み立てられた三次元光記録媒体用基体１１の周囲雰囲気を真空雰囲気にし、真空雰囲気下で外周側側壁１４に設けられた切り欠き１４ａを記録層を形成する液状の樹脂が満たされた容器内に浸け、真空雰囲気を解除して三次元光記録媒体用基体１１の周囲雰囲気を大気圧に戻す（樹脂注入工程）。次に、切り欠き１４ａから内部空間１８内に吸引された液状樹脂を光硬化又は熱硬化させて記録層を形成するのである（樹脂硬化工程）。
【００３０】
このように本三次元光記録媒体用基体１１によれば、第１実施形態と同様に均一な厚みの記録層を容易に形成することができ、多層光メモリ，ホログラムメモリ等の厚みのある記録層を有する三次元光記録媒体の製造が容易になるという利点がある。さらに、本三次元光記録媒体用基体１１によれば、透明基板１２とともに一体成形される側壁１４，１５がスペーサとして機能するので、別にスペーサを設ける必要がなく、部品点数を削減することができるという利点もある。
【００３１】
なお、上述の実施形態では、外周側の側壁１４に切り欠き１４ａを設けて、この切り欠き１４ａにより形成される通路から内部空間１８内に記録層を形成する液状樹脂を充填しているが、図８に示すように、内周側の側壁１５に切り欠き１５ａを設けて、この切り欠き１５ａにより形成される通路から内部空間１８内に記録層を形成する液状樹脂を充填してもよい。
【００３２】
また、上述の実施形態では、一方の透明基板１２にのみ側壁１４，１５を設けているが、図９に示すように各透明基板１２，１３に側壁１４，１５，側壁１６，１７を設けるようにしてもよい。ただし、この場合の側壁１４，１５，側壁１６，１７の高さは、本三次元光記録媒体用基体１１の用途に応じた高さ（好ましくは、透明基板１２，１３を重ね合わせた時の高さの和が３０μｍ以上５００μｍ以下）に設定するとともに、側壁１４，１６の少なくとも一方に切れ込みを設けて（図９では、側壁１４，１６にそれぞれ切り欠き１４ａ，１６ａを設けている）、内部空間１８と外部とを連通させる必要がある。
【００３３】
以上説明した第１実施形態，第２実施形態の三次元光記録媒体用基体は、ディスク状の一対の透明基板と、一対の透明基板の外周部間及び内周部間に挟装された二つの円環状のスペーサとからなり、二つのスペーサの何れか一方に開口部が設けられるという構成であるが、本発明の三次元光記録媒体用基体は、以下に説明する第３実施形態，第４実施形態のような構成にすることも可能である。
【００３４】
まず、本発明の第３実施形態としての三次元光記録媒体用基体について説明すると、本三次元光記録媒体用基体２１は、上記の第１実施形態，第２実施形態と同様に、多層光メモリ，ホログラムメモリ等の大容量，高密度の光記録媒体の製造に用いて好適の三次元光記録媒体用基体であり、図１０に示すように、一対の透明基板２２，２３から構成されている。
【００３５】
透明基板２２，２３は、円盤状に形成されており、その中央には外周円と同心の円形の穴を有している。また、透明基板２２，２３の外周部２２ａ及び内周部２３ａには、それぞれ円環状の側壁２４，２５，側壁２６，２７が一体に形成されている。これらの側壁２４，２５，側壁２６，２７は、透明基板２２，２３を重ね合わせた時に、内部の隙間高さを均一に保つスペーサとして機能するものであり、多層光メモリ，ホログラムメモリ等の本三次元光記録媒体用基体２１の用途に応じた高さ（好ましくは、透明基板２２，２３を重ね合わせた時の高さの和が３０μｍ以上５００μｍ以下）に形成されている。また、外周側の側壁２４，２６の外周側縁部は面取りが施され、傾斜面（面取り部）２４ａ，２６ａが設けられており、透明基板２２，２３の外周面よりも内方に窪んだ窪み部が形成されるようになっている。なお、透明基板２２，２３の材質としては、第１実施形態で説明したものを用いることができる。
【００３６】
本発明の第３実施形態としての三次元光記録媒体用基体２１は上述のように構成されているので、図１１に示すように、透明基板２２，２３には、それぞれ側壁２４，２５，側壁２６，２７により囲まれる容積部（記録層用空間）２８，２９が形成される。これらの容積部２８，２９は、記録層を形成する樹脂を充填するための容器として機能するものであり、他方の透明基板２２（又は２３）により蓋をすることができる。
【００３７】
したがって、本三次元光記録媒体用基体２１を用いて光記録媒体を製造する場合には、例えば次のような方法を用いることが可能になる。図１２を参照しながら本三次元光記録媒体の製造方法について説明すると、まず、図１２（ａ）に示すように、一方の透明基板２２の容積部２８内に記録層を形成する液状の樹脂３０を充填する（第一の工程）。
【００３８】
そして、図１２（ｂ）に示すように、三次元光記録媒体用基体２１の周囲雰囲気を真空雰囲気にし、図１２（ｃ）に示すように、真空雰囲気下で液状樹脂３０を充填した透明基板２２の上に他方の透明基板２３を重ね合わせる（第二の工程）。この時、透明基板２３の側壁２６と透明基板２２の側壁２４との重ね合わせ部分から液状樹脂３０がはみ出してくる程度に、十分な量の樹脂３０が容積部２８内に充填されていることが好ましい。
【００３９】
最後に、三次元光記録媒体用基体２１に光又は熱を加えることにより、液状樹脂３０を光硬化又は熱硬化させ、図１２（ｄ）に示すように、透明基板２２，２３を貼り合わせるとともに、記録層３１を形成する（第三の工程）。以上の工程により、光記録媒体が製造される。
このように本三次元光記録媒体用基体２１によれば、透明基板２２，２３の外周部及び内周部にそれぞれ設けられた側壁２４，２５，側壁２６，２７により透明基板２２，２３間の隙間間隔が規制されるとともに、透明基板２２，２３には容積部２８，２９が形成されているので、一方の透明基板２２の容積部２８内に記録層３１を形成する樹脂を充填して、他方の透明基板２３により蓋をするだけで、均一な厚みの記録層３１を容易に形成することができ、多層光メモリ，ホログラムメモリ等の厚みのある記録層３１を有する光記録媒体の製造が容易になるという利点がある。
【００４０】
また、本三次元光記録媒体用基体２１によれば、側壁２４，２５，側壁２６，２７をそれぞれ透明基板２２，２３とともに一体成形しているので、部品点数を削減することができるという利点もある。
さらに、外周側の側壁２４，２６の外周側縁部を面取りすることにより傾斜面２４ａ，２６ａが設けられているので、透明基板２２，２３を重ね合わせた時には、その重ね合わせ部に切り込み（窪み部）が形成されるようになり、図１３に示すように、内部の樹脂３０がはみ出した場合でも、外見上目立つことがなく、外観の悪化を防止することができるという利点もある。
【００４１】
なお、上述の実施形態では、各透明基板２２，２３にそれぞれ側壁２４，２５，側壁２６，２７を設けているが、図１４に示すように一方の透明基板２２のみに側壁２４，２５を設けて容積部２８を形成するようにしてもよい。ただし、この場合にも、側壁２４，２５の高さを、本三次元光記録媒体用基体１１の用途に応じた高さ（好ましくは、３０μｍ以上５００μｍ以下の高さ）に設定するとともに、外周側の側壁２４の外周側縁部には、全域にわたって傾斜面２４ａを設けることが好ましい。
【００４２】
また、上述の実施形態では、外周側の側壁２４，２６の外周側縁部のみを面取りしているが、図１５に示すように、内周側の側壁２５，２７の内周側縁部にも面取りを施してもよく、さらに、各側壁２４，２５，２６，２７の内側の縁部にも面取りを施してもよい。このように内側の縁部にも面取りを施した場合には、三次元光記録媒体用基体２１の内部全域に樹脂を行きわたらせ易く、記録層内に気泡が生じることを防止することができる。
【００４３】
次に、本発明の第４実施形態としての三次元光記録媒体用基体について説明すると、本三次元光記録媒体用基体４１は、図１６に示すように、一対の透明基板４２，４３と、大小一組の円環状のスペーサ４４，４５とから構成されている。透明基板４２，４３は、円盤状に形成されており、その中央には外周円と同心の円形の穴を有している。スペーサ４４，４５は、透明基板４２，４３間の距離を均一に保つための部材であり、多層光メモリ，ホログラムメモリ等の本三次元光記録媒体用基体４１の用途に応じた厚さ（好ましくは、３０μｍ以上５００μｍ以下の厚さ）に形成されている。スペーサ４４の外径は透明基板４２，４３の外径よりもわずかに小径に設定され、スペーサ４５の内径は透明基板４２，４３の内径と略同径に設定されている。なお、透明基板４２，４３の材質及びスペーサ４４，４５の材質としては、第１実施形態で説明したものを用いることができる。
【００４４】
本三次元光記録媒体用基体４１は、一方の透明基板４２の外周部及び内周部に、それぞれスペーサ４４，４５を接合することにより円環状の側壁を形成したものであり、透明基板４２の外周部上，内周部上にスペーサ４４，４５を積層した後、透明基板４２とスペーサ４４，４５との接触部に光又は熱を当てて部分的に硬化させることによって、透明基板４２とスペーサ４４，４５とを接合している。
【００４５】
本発明の第４実施形態としての三次元光記録媒体用基体４１は上述のように構成されているので、図１７に示すように、一方の透明基板４２には、スペーサ４４，４５により囲まれる容積部（記録層用空間）４６が形成される。この容積部４６は、記録層を形成する樹脂を充填するための容器として機能するものであり、他方の透明基板４３により蓋をすることができる。
【００４６】
したがって、本三次元光記録媒体用基体２１を用いた場合にも、第３実施形態と同様な方法により光記録媒体を製造することが可能になる。つまり、まず、スペーサ４４，４５に囲まれた容積部４６内に記録層を形成する液状の樹脂を充填し（第一の工程）、周囲雰囲気を真空雰囲気にした上で液状樹脂を充填した透明基板４２の上に他方の透明基板４３を重ね合わせ（第二の工程）、光又は熱を加えることにより、スペーサ４４，４５及び容積部４６内の液状樹脂を光硬化又は熱硬化させ、透明基板４３とスペーサ４４，４５とを貼り合わせるとともに記録層を形成するのである（第三の工程）。
【００４７】
このように本三次元光記録媒体用基体４１によれば、一方の透明基板４２の外周部及び内周部に接合されたスペーサ４４，４５により透明基板４２，４３間の隙間間隔が規制されるとともに、透明基板４２とスペーサ４４，４５とにより容積部４６が形成されているので、容積部４６内に記録層を形成する樹脂を充填して、他方の透明基板４３により蓋をするだけで、均一な厚みの記録層を容易に形成することができ、多層光メモリ，ホログラムメモリ等の厚みのある記録層を有する三次元光記録媒体の製造が容易になるという利点がある。
【００４８】
また、本三次元光記録媒体用基体４１によれば、光硬化性又は熱硬化性フィルムからなる円環状のスペーサ４４，４５を透明基板４２，４３の外周部及び内周部に積層し、スペーサ４４，４５の透明基板４２，４３との接触部を部分的に光硬化又は熱硬化させることにより側壁を形成しているので、従来の透明基板をそのまま用いることができるという利点がある。
【００４９】
さらに、外周側のスペーサ４４の外径は、透明基板４２，４３の外径よりもわずかに小径に設定されているので、透明基板４３により蓋をしたときに容積部４６内から樹脂がはみ出した場合でも、外見上目立つことがなく、外観の悪化を防止することができるという利点もある。
以上、本発明の三次元光記録媒体用基体について、第１〜第４実施形態を説明したが、本発明は上述の実施形態に限定されるものではなく、本発明の趣旨を逸脱しない範囲内で種々変形して実施することができる。例えば、本発明の三次元光記録媒体用基体が適用できる三次元光記録媒体は、上述した各実施形態のような円形ディスク形に限定されるものではなく、メモリカードのようなカード形の三次元光記録媒体等、種々の形状の光記録媒体に適用することができる。例えば、図１８に示すようなカード型の三次元光記録媒体６０に適用する場合には、カード型の一対の透明基板６１，６２の間に環状のスペーサ６３を挟装し、スペーサ６３の一部に内部（記録層用空間）と連通する切れ目（開口部）６４を設けたような構成にしてもよく、また、図１９に示す三次元光記録媒体７０のように、カード型の一対の透明基板７１，７２の一方の外周部に環状のスペーサ７３を固設したような構成にしてもよい。
【００５０】
また、三次元光記録媒体の製造時に、真空雰囲気を用いているが、真空まで達しない減圧雰囲気を用いてもよく、また、必ずしもこのような減圧処理を行なわなくてもよい。
さらに、スペーサの縁部外周に形成する窪み部の形状は、上述の実施形態に限定されるものではなく、記録層用空間内からの樹脂のはみ出しを目立たなくできるような形状であればよい。
【００５１】
【発明の効果】
以上詳述したように、本発明の三次元光記録媒体用基体（請求項１〜４）によれば、一対の透明基板とスペーサとにより記録層を形成する記録層用空間が区画形成されるので、区画形成された記録層用空間内に記録層を形成する樹脂を注入するだけで、均一な厚みの記録層を容易に形成することができ、多層光メモリ，ホログラムメモリ等の厚みのある記録層を有する三次元光記録媒体の製造が容易になるという利点がある。
【００５２】
また、スペーサに設けた開口部により記録層用空間と外部とを連通させた場合には、記録層用空間内を減圧するだけで記録層を形成する樹脂を記録層用空間内に引き込むことが可能になり、均一な厚みの記録層をより容易に形成することができという利点がある。
特に、スペーサとして光硬化性又は熱硬化性フィルムを用いる場合には、透明基板との接合が容易になり、また、従来の透明基板をそのまま用いることができるという利点がある（請求項１）。
【００５３】
また、スペーサを一対の透明基板のうちの少なくとも一方に予め一体に形成した場合には、部品点数を削減することができるという利点がある。
さらに、スペーサの縁部外周に、一対の透明基板の縁部外周よりも窪んだ窪み部が形成した場合には、記録層用空間内の樹脂がはみ出した場合でも外見上目立つことがなく、外観の悪化を防止することができるという利点がある（請求項２〜４）。
【００５４】
そして、本発明の三次元光記録媒体の製造方法（請求項５）によれば、上記のような三次元光記録媒体用基体（請求項１）を用いることにより、多層光メモリ，ホログラムメモリ等の厚みのある記録層を有する三次元光記録媒体を容易に製造することができるという利点がある。
また、別の本発明の三次元光記録媒体の製造方法（請求項６，７）によれば、上記のような三次元光記録媒体用基体を用いることにより、多層光メモリ，ホログラムメモリ等の厚みのある記録層を有する三次元光記録媒体を容易に製造することができるという利点がある。
【図面の簡単な説明】
【図１】本発明の第１実施形態としての三次元光記録媒体用基体の構成を示す斜視図であり、各構成要素毎に分解して示している。
【図２】本発明の第１実施形態としての三次元光記録媒体用基体の構成を示す断面図であり、（ａ）は水平断面図、（ｂ）は縦断面図である。
【図３】本発明の第１実施形態としての三次元光記録媒体用基体を用いた三次元光記録媒体の製造方法を説明するための図であり、（ａ）〜（ｄ）の順に製造工程を示している。
【図４】本発明の第１実施形態としての三次元光記録媒体用基体の他の構成を示す斜視図であり、各構成要素毎に分解して示している。
【図５】本発明の第１実施形態としての三次元光記録媒体用基体の他の構成を示す縦断面図である。
【図６】本発明の第２実施形態としての三次元光記録媒体用基体の構成を示す斜視図であり、各構成要素毎に分解して示している。
【図７】本発明の第２実施形態としての三次元光記録媒体用基体の構成を示す断面図であり、（ａ）は水平断面図、（ｂ）は縦断面図である。
【図８】本発明の第２実施形態としての三次元光記録媒体用基体の他の構成を示す斜視図であり、各構成要素毎に分解して示している。
【図９】本発明の第２実施形態としての三次元光記録媒体用基体の他の構成を示す縦断面図である。
【図１０】本発明の第３実施形態としての三次元光記録媒体用基体の構成を示す斜視図である。
【図１１】本発明の第３実施形態としての三次元光記録媒体用基体の構成を示す縦断面図である。
【図１２】本発明の第３実施形態としての三次元光記録媒体用基体を用いた三次元光記録媒体の製造方法を説明するための図であり、（ａ）〜（ｄ）の順に製造工程を示している。
【図１３】本発明の第３実施形態としての三次元光記録媒体用基体の要部構成を示す縦断面図である。
【図１４】本発明の第３実施形態としての三次元光記録媒体用基体の他の構成を示す縦断面図である。
【図１５】本発明の第３実施形態としての三次元光記録媒体用基体の他の構成を示す縦断面図である。
【図１６】本発明の第４実施形態としての三次元光記録媒体用基体の構成を示す斜視図である。
【図１７】本発明の第４実施形態としての三次元光記録媒体用基体の構成を示す縦断面図である。
【図１８】本発明の三次元光記録媒体用基体の他の実施形態を示す斜視図であり、各構成要素毎に分解して示している。
【図１９】本発明の三次元光記録媒体用基体の他の実施形態を示す斜視図である。
【図２０】本発明の適用対象の一つである多層光メモリの構成を示す模式図である。
【図２１】本発明の適用対象の一つであるホログラムメモリの構成を示す模式図である。
【符号の説明】
１  三次元光記録媒体用基体
２，３  透明基板
４，５  スペーサ
４ａ  切れ目（開口部）
６  内部空間（記録層用空間）
８  記録層を形成する液状の樹脂
９  記録層
１１  三次元光記録媒体用基体
１２，１３  透明基板
１４，１５  側壁（スペーサ）
１４ａ  切れ込み（開口部）
１８  内部空間（記録層用空間）
２１  三次元光記録媒体用基体
２２，２３  透明基板
２４〜２７  側壁（スペーサ）
２８，２９  内部空間（記録層用空間）
３０  記録層を形成する液状の樹脂
３１  記録層
４１  三次元光記録媒体用基体
４２，４３  透明基板
４４，４５  スペーサ
４６  内部空間（記録層用空間）
【図１】
0004057746.tif 000002
【図２】
0004057746.tif 000003
【図３】
0004057746.tif 000004
【図４】
0004057746.tif 000005
【図５】
0004057746.tif 000006
【図６】
0004057746.tif 000007
【図７】
0004057746.tif 000008
【図８】
0004057746.tif 000009
【図９】
0004057746.tif 000010
【図１０】
0004057746.tif 000011
【図１１】
0004057746.tif 000012
【図１２】
0004057746.tif 000013
【図１３】
0004057746.tif 000014
【図１４】
0004057746.tif 000015
【図１５】
0004057746.tif 000016
【図１６】
0004057746.tif 000017
【図１７】
0004057746.tif 000018
【図１８】
0004057746.tif 000019
【図１９】
0004057746.tif 000020
【図２０】
0004057746.tif 000021
【図２１】
0004057746.tif 000022